(57)【要約】【課題】複写動作をより正確に判断して電子ペーパーに表示される情報の保護を好適に行う情報表示装置、情報表示制御方法、コンピュータプログラム、情報記録媒体、及び、光学式情報読取装置を提供すること。【解決手段】電子ペーパーを有する表示部と、前記電子ペーパーの表示面に対して照射される光を検出する光検出部と、前記表示面の向きを検出する向き検出部と、前記表示部が表示する表示画像を制御し、さらに、前記向き検出部により前記表示面が下方を向いていることが検出され、かつ、前記光検出部により前記表示面にスキャナ光が照射されることが検出された場合に、前記表示画像を消去する制御部と、を有する情報表示装置。【選択図】図１
2010217720.tif 000002
【特許請求の範囲】
【請求項１】
電子ペーパーを有する表示部と、
前記電子ペーパーの表示面に対して照射される光を検出する光検出部と、
前記表示面の向きを検出する向き検出部と、
前記表示部による表示画像の表示を制御し、さらに、前記向き検出部により前記表示面が下方を向いていることが検出され、かつ、前記光検出部により前記表示面にスキャナ光が照射されることが検出された場合に、前記表示画像を消去する制御部と、
を有することを特徴とする情報表示装置。
【請求項２】
前記表示画像の情報を保持する画像保持部を有し、
前記制御部は、さらに、前記表示画像の情報を消去することを特徴とする請求項１記載の情報表示装置。
【請求項３】
前記画像保持部は、さらに、所定の画面の情報を保持し、
前記制御部は、前記向き検出部により検出される前記表示面の向きが所定の範囲の場合に、前記表示面に、前記所定の画面を表示させることを特徴とする請求項２記載の情報表示装置。
【請求項４】
前記制御部は、さらに、前記表示画像の反転画像を生成し、該反転画像を前記表示部に対して出力することにより、前記表示画像を消去することを特徴とする請求項１ないし３何れか一項に記載の情報表示装置。
【請求項５】
前記表示画像の複写の許可に係る情報を保持する情報保持部を有し、
前記制御部は、前記複写の許可に係る情報が前記表示画像の複写の許可の値を有する場合に、前記表示画像を消去しないことを特徴とする請求項１ないし４何れか一項に記載の情報表示装置。
【請求項６】
前記情報保持部は、前記複写の許可に係る情報を、前記表示画像の情報毎に対応づけて保持することを特徴とする請求項５記載の情報表示装置。
【請求項７】
識別情報を入力する入力部を有し、
前記制御部は、前記識別情報に基づいて、前記複写の許可に係る情報の設定を許可することを特徴とする請求項５又は６記載の情報表示装置。
【請求項８】
光学式情報読取装置との通信を行う通信部を有し、
前記制御部は、前記通信部より入力される前記光学式情報読取装置の装置識別情報に基づいて、前記表示画像の消去を行うことを特徴とする請求項１記載の情報表示装置。
【請求項９】
前記制御部は、前記装置識別情報が、前記光学式情報読取装置による読み取りを許可する値に対応する場合に、前記通信部から前記光学式情報読取装置に対し、読み取りを許可する信号を出力させることを特徴とする請求項８記載の情報表示装置。
【請求項１０】
前記光検出部は、前記電子ペーパーと、一体に構成されることを特徴とする請求項１ないし９何れか一項に記載の情報表示装置。
【請求項１１】
前記光検出部は、前記表示面の周縁に設けられることを特徴とする請求項１ないし９何れか一項に記載の情報表示装置。
【請求項１２】
請求項８又は９に記載の情報表示装置と通信を行う光学式情報読取装置であって、
前記情報処理装置と通信を行う通信部と、
情報を光学的に読み取る読取部と、
前記通信部から前記光学式情報読取装置の識別情報を出力させ、前記識別情報に基づく複写の許可を前記情報処理装置から入力される場合に、前記読取部を動作させる制御部と、
を有することを特徴とする光学式情報読取装置。
【請求項１３】
電子ペーパーを有する表示部を有する情報表示装置における情報表示制御方法であって、
前記電子ペーパーの表示面に対して照射される光を検出する光検出ステップと、
前記表示面の向きを検出する向き検出ステップと、
前記表示部による表示画像を表示させる表示ステップと、
前記向き検出ステップにおいて前記表示面が下方を向いていることが検出され、かつ、前記光検出ステップにおいて前記表示面にスキャナ光が照射されることが検出された場合に、前記表示画像を消去する消去ステップと、
を有することを特徴とする情報表示制御方法。
【請求項１４】
電子ペーパーを有する表示部を有する情報表示装置における情報表示制御方法をコンピュータに実行させるためのコンピュータプログラムであって、
前記電子ペーパーの表示面に対して照射される光を検出する光検出ステップと、
前記表示面の向きを検出する向き検出ステップと、
前記表示部による表示画像を表示させる表示ステップと、
前記向き検出ステップにおいて前記表示面が下方を向いていることが検出され、かつ、前記光検出ステップにおいて前記表示面にスキャナ光が照射されることが検出された場合に、前記表示画像を消去する消去ステップと、
を有する情報表示制御方法をコンピュータに実行させるためのコンピュータプログラム。
【請求項１５】
請求項１４記載のコンピュータプログラムを記録したコンピュータ読取可能な情報記録媒体。
【発明の詳細な説明】
【技術分野】
【０００１】
本発明は、情報表示装置、情報表示制御方法、コンピュータプログラム、情報記録媒体、及び、光学式情報読取装置に関する。
【背景技術】
【０００２】
従来から、電子ペーパーを用いる情報表示装置の技術がある。このような電子ペーパー表示装置では、表示される情報の書き換え時に微量の電力が必要となる他は、電力の供給がなくとも表示を続けることができる。
【０００３】
また、表示される画像は、複写機等による光学的な読み取りが可能である。そこで、表示される画像の複写を制御する技術が開示されている。
【０００４】
例えば、特開２００４−２３３６５７号公報（特許文献１）には、反射型又は半反射型の表示媒体上に表示される情報の不正な複写を防止するために、光センサによりスキャナ光が検出される場合に、表示媒体上に表示されている情報を消去する表示装置等の技術が開示されている。
【０００５】
特許文献１に記載の表示装置等では、所定値以上の光量が、一定方向に一定速度で照射されることを、光センサが検出する場合に、その光をスキャナ光と判断する。
【発明の概要】
【発明が解決しようとする課題】
【０００６】
しかしながら、上記特許文献１に開示の表示装置等では、光センサによる光の検出に基づいて複写動作であるか否かを判断するために、スキャナ光ではない光をスキャナ光とする誤判断を排除することができない。
【０００７】
本発明は、上記の点に鑑みて、これらの問題を解消するために発明されたものであり、複写動作をより正確に判断して電子ペーパーに表示される情報の保護を好適に行う情報表示装置、情報表示制御方法、コンピュータプログラム、情報記録媒体、及び、光学式情報読取装置を提供することを目的としている。
【課題を解決するための手段】
【０００８】
上記目的を達成するために、本発明の情報表示装置は次の如き構成を採用した。
【０００９】
本発明の情報表示装置は、電子ペーパーを有する表示部と、前記電子ペーパーの表示面に対して照射される光を検出する光検出部と、前記表示面の向きを検出する向き検出部と、前記表示部による表示画像の表示を制御し、さらに、前記向き検出部により前記表示面が下方を向いていることが検出され、かつ、前記光検出部により前記表示面にスキャナ光が照射されることが検出された場合に、前記表示画像を消去する制御部と、を有する構成とすることができる。
【００１０】
これにより、複写動作をより正確に判断して電子ペーパーに表示される情報の保護を好適に行う情報表示装置を提供することができる。
【００１１】
なお、上記課題を解決するため、本発明は、上記情報表示装置における情報表示制御方法、その情報表示制御方法をコンピュータに実行させるためのコンピュータプログラム、そのコンピュータプログラムを記録した情報記録媒体、及び、光学式情報読取装置としてもよい。
【発明の効果】
【００１２】
本発明の情報表示装置、情報表示制御方法、コンピュータプログラム、情報記録媒体、及び、光学式情報読取装置によれば、複写動作をより正確に判断して電子ペーパーに表示される情報の保護を好適に行う情報表示装置、情報表示制御方法、コンピュータプログラム、情報記録媒体、及び、光学式情報読取装置を提供することが可能になる。
【図面の簡単な説明】
【００１３】
【図１】図１は、本実施の形態に係る情報表示装置の機能構成の例を示す図である。
【図２】図２は、情報表示装置の電子ペーパーに垂直な方向の断面図である。
【図３】図３は、フラットベッドスキャナに、情報表示装置が置かれる状態を示す図である。
【図４】図４は、電子ペーパー１１１に表示されている表示画像を消去するか否かを判断する処理のフロー図である。
【図５】図５は、メモリが保持する表示画像の情報を消去する処理を示すフロー図である。
【図６】図６は、表示部の傾度に基づいて表示画像を制御する処理を説明するフロー図である。
【図７】図７は、表示画像の反転画像により電子ペーパーに表示される表示画像を消去する処理を示すフロー図である。
【図８】図８は、複写又は読み込みを許可するか否かの情報に基づく処理を行う情報表示装置の機能構成の例を示す図である。
【図９】図９は、複写許可の情報に基づく処理を説明するフロー図である。
【図１０】図１０は、光学式情報読取装置とのインタフェースを有する情報表示装置の構成の例を示す図である。
【図１１】図１１は、光学式情報読取装置の識別情報に基づく処理を示すフロー図である。
【発明を実施するための形態】
【００１４】
以下、本発明の実施の形態を図面に基づき説明する。
【００１５】
〔本発明の実施の形態〕
（情報表示装置１００の機能構成）
図１は、本実施の形態に係る情報表示装置の機能構成の例を示す図である。図１の情報表示装置１００は、表示部１１０、光センサ１２０、傾きセンサ１３０、メモリ１５０、入力部１８０、及び、制御部１９０を有する。
【００１６】
表示部１１０は、電子ペーパーによる情報の表示を行う。表示部１１０は、電子ペーパー１１１と表示制御部１１２とを有する。電子ペーパー１１１は、表示制御部１１２から入力される画像情報を表示する。表示制御部１１２は、制御部１９０によりメモリ１５０から読み出される表示画像の情報を受け取り、電子ペーパー１１１に表示させる。
【００１７】
光センサ１２０は、電子ペーパー１１１に照射される光を検出する。光センサ１２０は、例えば、電子ペーパー１１１と一体に構成されるとよい。光センサ１２０は、また例えば、電子ペーパー１１１の周縁に設けられてもよい。
【００１８】
光センサ１２０は、照射される光の光量、照度、波長、移動の速度等を検出するとよい。これにより、スキャナ光とその他の光とを区別することができる。なお、スキャナ光は、例えば、所定の照度、所定の光量、又は、所定の波長を有する。スキャナ光は、また例えば、一定方向に一定の速度で照射される光である。
【００１９】
傾きセンサ１３０は、電子ペーパー１１１の傾きを検出する。傾きセンサ１３０は、例えば、傾きを検出する他に、加速度を検出するセンサでもよい。傾きセンサ１３０は、電子ペーパー１１１の傾き等を検出することにより、電子ペーパー１１１の表示面が何れの方向を向いているかを検出する。これにより、例えば、電子ペーパー１１１が地表面に対向する方向を向いている場合に、フラットベッドスキャナによる複写動作が行われる可能性があると判断することができる。
【００２０】
傾きセンサ１３０は、また例えば、電子ペーパー１１１又は情報表示装置１００の傾きの変化を検出してもよい。これにより、電子ペーパー１１１が、情報表示装置１００の操作者により、反転されてフラットベッド上に設置される動作を検出することができる。
【００２１】
メモリ１５０は、表示部１１０に表示させる表示画像の情報を保持する。表示画像の情報は、表示画像のデータの他に、表示画像に付随する情報を含んでもよい。
【００２２】
メモリ１５０は、またさらに、操作者又は情報表示装置１００に接続される装置等の識別情報に係る情報を保持してもよい。これにより、入力部１８０から入力される識別情報の正当性を判断することができる。
【００２３】
入力部１８０は、情報表示装置１００の操作者により各種の情報が入力される。入力部１８０から入力される情報は、表示部１１０が表示する表示画像の情報、所定の条件の下で、表示画像を消去するか否かの情報、又は、操作者等の識別情報若しくはパスワード等である。
【００２４】
制御部１９０は、情報表示装置１００が有する各部を制御する。制御部１９０は、メモリ１５０に格納される表示画像の情報を読み出して、表示部１１０に出力することにより、電子ペーパー１１１による表示を実現する。制御部１９０は、またさらに、入力部１８０から入力される表示画像の情報等をメモリ１５０に格納させる。制御部１９０は、また、入力部１８０から入力される識別情報又はパスワードの正当性の判断を行う。
【００２５】
（情報表示装置の傾きと光学式情報読取装置との関係）
図２及び図３は、情報表示装置の傾きと光学式情報読取装置との関係を説明する図である。図２は、情報表示装置１００の電子ペーパー１１１に垂直な方向の断面図である。図２は、電子ペーパー１１１が、上方を向き、上部にある光源３０の光に照射されている。
【００２６】
情報表示装置１００の操作者は、通常、照明等の上部からの光が電子ペーパー１１１で反射される光を見て、電子ペーパー１１１に表示される情報を認識する。その際、電子ペーパー１１１の向きと電子ペーパー１１１に照射される光とを検知していることにより、上部からの光だけで、コピー動作と誤って判断しないようにする。
【００２７】
図３は、光学式情報読取装置２００が有するフラットベッドスキャナに、情報表示装置１００が置かれる状態を示す図である。図３では、光学式情報読取装置２００が、スキャナ光を照射する光源２３０を有する。光源２３０は、光学式情報読取装置２００のフラットベッドスキャナのガラス面の下方から上方に向かう光を照射する。
【００２８】
電子ペーパー１１１に表示される情報がコピーされる際は、情報表示装置１００が、電子ペーパー１１１を下方に向けてフラットベッドスキャナに載置される。そこで、電子ペーパー１１１の向きを検出することにより、フラットベッドスキャナに置かれた状態を表す情報を取得することができる。電子ペーパー１１１に対して、スキャナ光が照射される際には、光源２３０からのスキャナ光が、フラットベッドスキャナの副走査方向に一定の速度で照射される。そこで、スキャナ光を検出することにより、スキャナ光が照射されることを判断することができる。
【００２９】
（表示画像を消去する処理）
図４は、電子ペーパー１１１に表示されている表示画像を消去するか否かを判断する処理のフロー図である。図４の処理は、制御部１９０により実行される。ステップＳ１０１では、光センサ１２０が検知した光が、規定以上の値を有するか否かを判断する。規定する光の値は、メモリ１５０に保持されてもよい。規定以上の値を有する場合には、ステップＳ１０２に進み、規定以上の値を有しない場合には、ステップＳ１０１の処理を繰り返す。
【００３０】
ステップＳ１０２では、傾きセンサ１３０が検知した傾きが、規定以上の値を有するか否かを判断する。規定する傾きの値は、メモリ１５０に保持されてもよい。傾きが規定以上の値を有する場合には、ステップＳ１０３に進み、傾きが規定以上の値を有しない場合には、ステップＳ１０１に戻って処理を繰り返す。
【００３１】
ステップＳ１０３では、表示部１１０に対し、表示画像を消去する指示を出力する。この指示に基づいて、表示部１１０は、表示画像を消去する。
【００３２】
図４の処理により、複写機やスキャナ等の光学式画像入力装置において、原稿面を下に向けてスキャナ光を照射する動作を検出することができる。この動作が検出された際に、表示画像を消去することで、電子ペーパー１１１に表示される画像の複写を防止することができる。
【００３３】
なお、図４の処理は、光の検出を行うステップＳ１０１に続いて傾きの検出をステップＳ１０２で行うが、傾きの検出を先に行い、規定以上の値の場合に、光の検出を行う構成でもよい。これにより、操作者による原稿面を下に向ける動作の後、スキャナ光の照射を行う動作が行われる順と、情報表示装置１００における検出の順とが一致するため、効率的に複写の動作を検出することができる。
【００３４】
（メモリ１５０が保持する表示画像の情報を消去する処理）
図５は、メモリ１５０が保持する表示画像の情報を消去する処理を示すフロー図である。図５の処理は、制御部１９０が実行し、図４の処理に続いて行われるとよい。図５のステップＳ２０１からステップＳ２０３の処理は、図４のステップＳ１０１からステップＳ１０３の処理と同一であるので、ここでは、説明を省略する。
【００３５】
図５のステップＳ２０４では、メモリ１５０に蓄積されている表示画像の情報のうち、表示部１１０に表示されている表示画像の情報が消去される。これにより、その表示画像の情報が、情報表示装置１００から消去され、セキュリティ性を高めることができる。
【００３６】
（表示部の傾度に基づいて表示画像を制御する処理）
図６は、表示部１１０の傾度に基づいて表示画像を制御する処理を説明するフロー図である。図６の処理は、制御部１９０によって実行される。ステップＳ３０１では、傾きセンサ１３０から入力される値により、表示部１１０の傾度が取得される。ステップＳ３０２では、メモリ１５０が保持する表示画像の情報のうち、ステップＳ３０１で取得された傾度に対応する表示画像が選択される。
【００３７】
ステップＳ３０３では、ステップＳ３０２で選択された表示画像の情報がメモリ１５０から読み出され、表示部１１０に対して出力される。これにより、表示部１１０が、その表示画像を表示する。
【００３８】
なお、ステップＳ３０２で選択される表示画像は、例えば、表示部１１０が下方を向いている場合には「コピー不可」等を表示する画像でもよい。また、表示部１１０が上方を向いている場合には、操作者が入力部１８０等から指示する表示画像が選択されるとよい。また、ステップＳ３０２で操作者が指示する表示画像が選択される際の傾度は、例えば、下向きの鉛直方向に対し、０度から４５度の範囲である。
【００３９】
例えば、電子泳動方式による電子ペーパーは、表示する画面の書き換えに一定の時間を要する。そこで、複写機によるスキャン動作を検出した後に、表示画像の消去を開始する場合に、スキャンの開始までに表示画像を消去できないことがある。図６の処理により、操作者が、情報表示装置１００の電子ペーパー１１１の表示面を下方に向け始めることを検知した際に、表示画像を書き換えることができ、スキャン動作の開始までに、表示画像の消去を実現することができる。またさらに、電子ペーパー１１１の表示面が再び上方を向けられる際には、元の表示画像を復元することにより、操作者に対する利便性を向上させることができ、表示画像の上方を誤って消去することを避けることができる。
【００４０】
（反転画像により消去する処理）
図７は、表示画像の反転画像により電子ペーパー１１１に表示される表示画像を消去する処理を示すフロー図である。図７のステップＳ４０１では、制御部１９０が、電子ペーパー１１１に表示されている表示画像の反転画像を生成する。
【００４１】
なお、一の画像の反転画像とは、例えば、電子泳動方式による電子ペーパーの場合には、一の画像を表示する際に粒子毎に印加する電圧とほぼ逆の電圧を各粒子に印加することにより表示される画像である。
【００４２】
ステップＳ４０２では、ステップＳ４０１で生成した表示画像を、表示部１１０に対して出力する。表示部１１０では、反転画像を電子ペーパー１１１に描画する。これにより、表示される表示画像が、中間調で塗りつぶされた画像となり、複写等を防止することができる。
【００４３】
例えば、電子泳動方式による電子ペーパーは、表示画像に対応する電圧を所定の時間印加することにより、電子ペーパーを構成する粒子を移動させて画像の表示を実現する。表示画像を消去する際には、粒子を正極又は負極の何れかに完全に移動させなくてはならず、時間がかかる。図７の処理により、表示画像を表示する際に印加された電圧の逆電圧を印加して全ての粒子を素早く中間レベルにすることができる。これにより、表示画像が消去される。
【００４４】
（複写許可の情報を保持する情報表示装置）
図８は、複写又は読み込みを許可するか否かの情報に基づく処理を行う情報表示装置の機能構成の例を示す図である。図８の情報表示装置１００ａは、表示部１１０、光センサ１２０、傾きセンサ１３０、メモリ１５０、メモリ１６０、入力部１８０、及び、制御部１９０ａを有する。情報表示装置１００ａが有する各部のうち、図１の情報表示装置１００が有する各部と同一の機能及び構成を有する各部は、図１と同一の符号を付し、ここでは説明を省略する。
【００４５】
メモリ１６０は、例えば、メモリ１５０と一のメモリとして構成されてもよい。メモリ１６０は、複写許可の情報を保持する。複写許可の情報は、複写を許可するか否かの情報である。複写許可の情報は、表示画像毎に対応づけられてもよく、また、表示画像に関わりなく一律に複写を許可又は禁止する旨の値を有してもよい。
【００４６】
複写許可の情報は、また例えば、情報表示装置１００ａの操作者毎に対応づけられてもよい。操作者毎に複写許可の情報が対応づけられる場合には、例えば、入力部１８０から入力される識別情報により、対応する複写許可の情報が、制御部１９０ａにより、メモリ１６０から読み出される。
【００４７】
メモリ１６０は、また、入力部１８０から入力される操作者の識別情報の正当性を判断する際に用いられる情報を保持してもよい。これにより、入力部１８０から各種の情報が入力される際に、その入力操作が正当な操作者によるものであるか否かを判断することができる。なお、これらの判断は、制御部１９０ａにより行われるとよい。
【００４８】
制御部１９０ａは、光センサ１２０及び傾きセンサ１３０が検知する情報が所定の条件を有し、かつ、メモリ１６０に保持される複写許可の情報が、複写を禁止する値を有する場合には、表示部１１０に表示される表示画像を消去する。
【００４９】
（複写許可の情報に基づく処理）
図９は、複写許可の情報に基づく処理を説明するフロー図である。図９の処理は、図８の情報表示装置１００ａにより実行される。図８のステップＳ５０１では、光学式情報読取装置による読取動作が検知されたか否かの判断がなされる。ステップＳ５０１の処理は、例えば、図４のステップＳ２０１及びステップＳ２０２の処理と同一でもよい。
【００５０】
ステップＳ５０２では、制御部１９０ａが、メモリ１６０に格納されている複写許可の情報を取得する。ここで取得される情報は、表示部１１０に表示されている表示画像に対応する情報でもよく、複数の表示画像にわたって一律に与えられる情報でもよく、また、情報表示装置１００ａに対し所定の時間又は永続的に与えられる情報でもよい。
【００５１】
複写許可の情報の値が、「読込みを許可する」値又は「複写を許可する」値と等価の場合には、処理を終了する。複写許可の情報の値が、「読込みを許可する」値又は「複写を許可する」値と等価ではない場合には、ステップＳ５０３に進む。
【００５２】
ステップＳ５０３では、制御部１９０ａが表示部１１０に対し、表示している表示画像を消去する指示を出力する。ステップＳ５０３の処理は、例えば、図４のステップＳ１０３、図５のステップＳ２０３、又は、図７のステップＳ４０１ないしステップＳ４０２と同一でもよく、さらに、図５のステップＳ２０４が行われてもよい。
【００５３】
図９の処理により、例えば、複写を許可している表示画像を、光学式情報読取装置により複写等させることができ、複写を許可していない表示画像は、光学式情報読取装置による複写等を行わせないようにすることができる。これにより、複写管理を好適にすることができる。
【００５４】
また、複写許可の情報を、操作者毎に対応づける場合には、入力部１８０から入力される識別情報に基づいて表示画像の消去を行うことができる。また、複写許可の情報を情報表示装置毎に対応づけてもよい。これらの複写許可の情報により、複写管理を好適にすることができる。
【００５５】
（光学式情報読取装置とのインタフェースを有する情報表示装置）
図１０は、光学式情報読取装置とのインタフェースを有する情報表示装置１００ｂの構成の例を示す図である。図１０の情報表示装置１００ｂは、光学式情報読取装置２００と接続され、表示部１１０、光センサ１２０、傾きセンサ１３０、インタフェース部１４０、メモリ１５０、メモリ１６０ｂ、入力部１８０、及び、制御部１９０ａを有する。情報表示装置１００ｂが有する各部のうち、図８の情報表示装置１００ｂが有する各部と同一の機能及び構成を有する各部は、図８と同一の符号を付し、ここでは説明を省略する。
【００５６】
インタフェース部１４０は、光学式情報読取装置２００と通信を行うインタフェースである。インタフェース部１４０は、光学式情報読取装置２００の識別情報を受信する。メモリ１６０ｂは、光学式情報読取装置２００の識別情報に対応する複写許可の情報を保持する。
【００５７】
制御部１９０ｂは、インタフェース部１４０から入力される、光学式情報読取装置２００の識別情報に対応する、複写許可の情報を、メモリ１６０ｂから読み出す。制御部１９０ｂは、さらに、メモリ１６０ｂから読み出された複写許可の情報の値が、「複写を許可しない」値と等価の場合には、表示部１１０に表示されている表示画像を消去する。
【００５８】
光学式情報読取装置２００は、インタフェース部２４０、画像入力部２８０、及び、制御部２９０を有する。インタフェース部２４０は、情報表示装置１００ｂと通信を行う。画像入力部２８０は、例えば、フラットベッドにより光学的に画像を読み取るスキャナを制御する。
【００５９】
制御部２９０は、光学式情報読取装置２００が有する各部を制御する。制御部２９０は、また、インタフェース部２４０により接続される情報表示装置１００ｂに対して、識別情報を出力させる。識別情報は、光学式情報読取装置２００が有する図示しない記憶部に保持されるとよい。
【００６０】
（光学式情報読取装置の識別情報に基づく処理）
図１１は、光学式情報読取装置の識別情報に基づく処理を示すフロー図である。図１１の処理は、図１０の情報表示装置１００ｂにより実行される。図１１のステップＳ６０１は、図９のステップＳ５０１と同一である。
【００６１】
ステップＳ６０２では、インタフェース部１４０による光学式情報読取装置２００との通信が行われているか否かの判断がなされる。通信が行われ、かつ、光学式情報読取装置２００の識別情報が入力された場合には、ステップＳ６０３に進む。一方、光学式情報読取装置２００の識別情報が入力されない場合には、ステップＳ６０４に進む。
【００６２】
ステップＳ６０３では、ステップＳ６０２で取得された識別情報に対応する複写許可の情報が、メモリ１６０ｂから取得される。複写許可の情報の値が、「読込みを許可する」値又は「複写を許可する」値と等価な場合には、処理を終了する。複写許可の情報の値が、「読込みを許可する」値又は「複写を許可する」値と等価ではない場合には、ステップＳ６０４に進む。
【００６３】
ステップＳ６０４では、図９のステップＳ５０３と同一の処理が行われる。
【００６４】
（コンピュータ等による実現）
なお、本実施形態に係る情報表示制御方法は、例えば、制御部１９０がメモリ１５０に記憶されたコンピュータプログラムに従い、ＲＡＭ等のメインメモリをワークエリアとして使用し、実行される。なお、本実施形態に係るコンピュータプログラムは、メモリ１５０の他に、図示しないＣＤ−ＲＯＭ等の記録媒体、又は、ハードディスク装置等に格納されるとよい。
【００６５】
以上、発明を実施するための形態について説明を行ったが、本発明は、この最良の形態で述べた実施の形態に限定されるものではない。本発明の主旨をそこなわない範囲で変更することが可能である。
【産業上の利用可能性】
【００６６】
以上のように、本発明にかかる情報表示装置は、不正コピーの防止に有用である。
【符号の説明】
【００６７】
３０  光源
１００、１００ａ、１００ｂ  情報表示装置
１１０  表示部
１１１  電子ペーパー
１１２  表示制御部
１２０  光センサ
１３０  センサ
１４０  インタフェース部
１５０  メモリ
１６０、１６０ｂ  メモリ
１８０  入力部
１９０、１９０ａ、１９０ｂ  制御部
２００  光学式情報読取装置
２３０  光源
２４０  インタフェース部
２８０  画像入力部
２９０  制御部
【先行技術文献】
【特許文献】
【００６８】
【特許文献１】特開２００４−２３３６５７号公報
【図１】
2010217720.tif 000003
【図２】
2010217720.tif 000004
【図３】
2010217720.tif 000005
【図４】
2010217720.tif 000006
【図５】
2010217720.tif 000007
【図６】
2010217720.tif 000008
【図７】
2010217720.tif 000009
【図８】
2010217720.tif 000010
【図９】
2010217720.tif 000011
【図１０】
2010217720.tif 000012
【図１１】
2010217720.tif 000013